(57)【要約】端末装置は、第1のサブキャリア間隔で第1の同期信号を受信する第1受信部と、前記第1のサブキャリア間隔で第2の同期信号を受信する第2受信部と、前記第1の同期信号および／または前記第2の同期信号からアイデンティティを検出する検出部と、前記アイデンティティに基づいて、前記第1のサブキャリア間隔とは異なる第2のサブキャリア間隔で第1の参照信号を受信する第3受信部と、を備え、前記第1の参照信号は、前記第2のサブキャリア間隔に対して定められた時間リソースおよび周波数リソースに配置される。
2018021018.tif 000002
【特許請求の範囲】
【請求項１】
第1のサブキャリア間隔で第1の同期信号を受信する第1受信部と、
前記第1のサブキャリア間隔で第2の同期信号を受信する第2受信部と、
前記第1の同期信号および／または前記第2の同期信号からアイデンティティを検出する検出部と、
前記アイデンティティに基づいて、前記第1のサブキャリア間隔とは異なる第2のサブキャリア間隔で第1の参照信号を受信する第3受信部と、
を備え、
前記第1の参照信号は、前記第2のサブキャリア間隔に対して定められた時間リソースおよび周波数リソースに配置される
端末装置。
【請求項２】
前記端末装置は、前記第1の参照信号に基づいて第1の重要システム情報を復調する
請求項1に記載の端末装置。
【請求項３】
前記端末装置は、前記第1の参照信号に基づいて第1の参照信号受信電力を算出する参照信号電力算出部
をさらに備える請求項1に記載の端末装置。
【請求項４】
前記端末装置は、前記第1の参照信号受信電力を基地局装置に報告する
請求項3に記載の端末装置。
【請求項５】
端末装置に用いられる通信方法であって、
第1のサブキャリア間隔で第1の同期信号を受信し、
前記第1のサブキャリア間隔で第2の同期信号を受信し、
前記第1の同期信号および／または前記第2の同期信号からアイデンティティを検出し、
前記アイデンティティに基づいて、前記第1のサブキャリア間隔とは異なる第2のサブキャリア間隔で第1の参照信号を受信し、
前記第1の参照信号は、前記第2のサブキャリア間隔に対して定められた時間リソースおよび周波数リソースに配置される
通信方法。
【請求項６】
前記第1の参照信号に基づいて第1の重要システム情報を復調する
請求項5に記載の通信方法。
【請求項７】
前記第1の参照信号に基づいて第1の参照信号受信電力を算出する
請求項5に記載の通信方法。
【請求項８】
前記第1の参照信号受信電力を基地局装置に報告する
請求項7に記載の通信方法。
【請求項９】
端末装置に搭載される集積回路であって、
第1のサブキャリア間隔で第1の同期信号を受信する第1受信機能と、
前記第1のサブキャリア間隔で第2の同期信号を受信する第2受信機能と、
前記第1の同期信号および／または前記第2の同期信号からアイデンティティを検出する検出機能と、
前記アイデンティティに基づいて、前記第1のサブキャリア間隔とは異なる第2のサブキャリア間隔で第1の参照信号を受信する第3受信機能と、
を含む一連の機能を発揮させるための集積回路であって、
前記第1の参照信号は、前記第2のサブキャリア間隔に対して定められた時間リソースおよび周波数リソースに配置される
集積回路。
【請求項１０】
前記第1の参照信号に基づいて第1の重要システム情報を復調する機能
をさらに発揮させるための請求項9に記載の集積回路。
【請求項１１】
前記第1の参照信号に基づいて第1の参照信号受信電力を算出する機能
をさらに発揮させるための請求項9に記載の集積回路。
【請求項１２】
前記第1の参照信号受信電力を基地局装置に報告する機能
をさらに発揮させるための請求項11に記載の集積回路。
【発明の詳細な説明】
【技術分野】
【０００１】
本発明の一態様は、端末装置、通信方法および集積回路に関する。
本願は、２０１６年７月２９日に日本に出願された特願２０１６−１４９６９２号について優先権を主張し、その内容をここに援用する。
【背景技術】
【０００２】
セルラー移動通信の無線アクセス方式および無線ネットワーク（以下、「Long  Term  Evolution  ：  LTE」、または、「Evolved  Universal  Terrestrial  Radio  Access  ：  EUTRA」）、および、より広帯域な周波数を利用して、より高速なデータの通信を実現する無線アクセス方式及び無線ネットワーク（以下、「Long  Term  Evolution-Advanced  ：  LTE-A」、または、「Advanced  Evolved  Universal  Terrestrial  Radio  Access  ：  A-EUTRA」）が、第三世代パートナーシッププロジェクト（3rd  Generation  Partnership  Project  ：3GPP）において検討されている。また、更なる広帯域な周波数を利用して、更に高速なデータの通信を実現する無線アクセス方式及び無線ネットワーク（以下、「New  Radio  ：  NR」、または、「5th  Generation  Mobile  Communications：  5G」、または、「Radio  Technology  beyond  LTE」）の検討が開始された（非特許文献1、2、3、4参照）。  LTE、LTE-Aでは、基地局装置をeNodeB（evolved  NodeB）、端末装置をUE（User  Equipment）とも称する。LTE、LTE-Aは、基地局装置がカバーするエリアをセル状に複数配置するセルラー通信システムである。1つの基地局装置が、複数のセルを管理することもある。【０００３】
NRでは、異なる複数のサブキャリア間隔を用いて通信することが検討されている。このため、端末装置は、異なる複数のサブキャリア間隔のうちのいずれのサブキャリア間隔を用いて基地局装置と通信するかを特定する必要がある。
【先行技術文献】
【非特許文献】
【０００４】
【非特許文献１】“NR  Numerology  Design  Principles”、R1-165112、  http://www.3gpp.org/ftp/Meetings_3GPP_SYNC/RAN1/Docs/R1-165112.zip、  2016年05月22日
【非特許文献２】Huawei、  HiSilicon、  “WF  on  NR  forward  compatibility”、  R1-165628、  http://www.3gpp.org/ftp/Meetings_3GPP_SYNC/RAN1/Docs/R1-165628.zip、  2016年05月24日
【非特許文献３】NTT  DOCOMO、  “New  SID  Proposal：  Study  on  New  Radio  Access  Technology”,  http://www.3gpp.org/ftp/TSG_RAN/WG1_RL1/TSGR1_AH/LTE_ChM_1603/Docs/R1-160671.zip、  2016年3月9日
【非特許文献４】Samsung、  “Discussion  on  phase  noise  modeling”,  R1-163984、  http://www.3gpp.org/ftp/Meetings_3GPP_SYNC/RAN1/Docs/R1-163984.zip、  2016年5月22日
【発明の概要】
【発明が解決しようとする課題】
【０００５】
しかしながら、NRでは、異なる複数のサブキャリア間隔のうちのいずれのサブキャリア間隔を用いて通信するかを特定するかが検討されておらず、基地局装置と端末装置との通信を、効率的に行うことができないという課題があった。【０００６】
本発明の一態様は、上記した事情に鑑みてなされたもので、基地局装置との通信を効率的に行うことができる端末装置、該端末装置に用いられる通信方法、該端末装置に搭載される集積回路、を提供することを目的の一つとする。
【課題を解決するための手段】
【０００７】
本発明の第1の態様は、上記の課題を解決するためになされたものであり、第1のサブキャリア間隔で第1の同期信号を受信する第1受信部と、前記第1のサブキャリア間隔で第2の同期信号を受信する第2受信部と、前記第1の同期信号および／または前記第2の同期信号からアイデンティティを検出する検出部と、前記アイデンティティに基づいて、前記第1のサブキャリア間隔とは異なる第2のサブキャリア間隔で第1の参照信号を受信する第3受信部と、を備え、前記第1の参照信号は、前記第2のサブキャリア間隔に対して定められた時間リソースおよび周波数リソースに配置される端末装置である。【０００８】
発明の第2の態様は、第１の態様に記載の端末装置であって、前記端末装置は、前記第1の参照信号に基づいて第1の重要システム情報を復調する。【０００９】
発明の第3の態様は、第１の態様に記載の端末装置であって、前記端末装置は、前記第1の参照信号に基づいて第1の参照信号受信電力を算出する参照信号電力算出部をさらに備える。【００１０】
発明の第4の態様は、第3の態様に記載の端末装置であって、前記端末装置は、前記第1の参照信号受信電力を基地局装置に報告する。【００１１】
本発明の第5の態様は、上記の課題を解決するためになされたものであり、端末装置に用いられる通信方法であって、第1のサブキャリア間隔で第1の同期信号を受信し、前記第1のサブキャリア間隔で第2の同期信号を受信し、前記第1の同期信号および／または前記第2の同期信号からアイデンティティを検出し、前記アイデンティティに基づいて、前記第1のサブキャリア間隔とは異なる第2のサブキャリア間隔で第1の参照信号を受信し、前記第1の参照信号は、前記第2のサブキャリア間隔に対して定められた時間リソースおよび周波数リソースに配置される通信方法である。【００１２】
本発明の第6の態様は、第5の態様に記載の通信方法であって、前記第1の参照信号に基づいて第1の重要システム情報を復調する。【００１３】
本発明の第7の態様は、第5の態様に記載の通信方法であって、前記第1の参照信号に基づいて第1の参照信号受信電力を算出する。【００１４】
本発明の第8の態様は、第7の態様に記載の通信方法であって、前記第1の参照信号受信電力を基地局装置に報告する。【００１５】
本発明の第9の態様は、上記の課題を解決するためになされたものであり、端末装置に搭載される集積回路であって、第1のサブキャリア間隔で第1の同期信号を受信する第1受信機能と、前記第1のサブキャリア間隔で第2の同期信号を受信する第2受信機能と、前記第1の同期信号および／または前記第2の同期信号からアイデンティティを検出する検出機能と、前記アイデンティティに基づいて、前記第1のサブキャリア間隔とは異なる第2のサブキャリア間隔で第1の参照信号を受信する第3受信機能と、を含む一連の機能を発揮させるための集積回路であって、前記第1の参照信号は、前記第2のサブキャリア間隔に対して定められた時間リソースおよび周波数リソースに配置される集積回路である。【００１６】
本発明の第10の態様は、第9の態様に記載の集積回路であって、前記第1の参照信号に基づいて第1の重要システム情報を復調する機能をさらに発揮させるための集積回路。【００１７】
本発明の第11の態様は、第9の態様に記載の集積回路であって、前記第1の参照信号に基づいて第1の参照信号受信電力を算出する機能をさらに発揮させるため集積回路。【００１８】
本発明の第12の態様は、第9の態様に記載の集積回路であって、前記第1の参照信号受信電力を基地局装置に報告する機能をさらに発揮させるための集積回路。
【発明の効果】
【００１９】
本発明の一態様によれば、端末装置および基地局装置は、効率的に通信を行うことができる。
【図面の簡単な説明】
【００２０】
【図１】本発明の第1の実施形態に係る無線通信システムの構成の一例を示す概略図である。
【図２】本発明の第1の実施形態に係る上りリンクスロットの概略構成の一例を示す図である。
【図３】本発明の第1の実施形態に係る基地局装置と端末装置との間の通信に用いられるサブフレームの一例を示す概略図である。
【図４】本発明の第1の実施形態に係る基地局装置と端末装置との間の通信に用いられるサブキャリアのサブキャリア間隔の一例を示す概略図である。
【図５】本発明の第1の実施形態に係る異なるサブキャリア間隔のサブキャリアのそれぞれに対する周波数リソース割り当ての一例を示す概略図である。
【図６】本発明の第1の実施形態に係る異なるサブキャリア間隔のサブキャリアごとのリソースグリッドの一例を示す概略図である。
【図７】本発明の第1の実施形態に係る基地局装置と端末装置との初期アクセス手順の一例を示す概略図である。
【図８】本発明の第1の実施形態に係る基地局装置によりマッピングされた第1のサブキャリア間隔で送信される参照信号の一例を示す概略図である。
【図９】本発明の第1の実施形態に係る基地局装置によりマッピングされた第2のサブキャリア間隔で送信される参照信号の一例を示す概略図である。
【図１０】本発明の第1の実施形態に係る基地局装置によりマッピングされた第3のサブキャリア間隔で送信される参照信号の一例を示す概略図である。
【図１１】本発明の第1の実施形態に係る端末装置の構成の一例を示す概略ブロック図である。
【図１２】本発明の第1の実施形態に係る端末装置の無線受信部の構成の一例を示す概略ブロック図である。
【図１３】本発明の第1の実施形態に係る基地局装置の構成の一例を示す概略ブロック図である。
【図１４】本発明の第1の実施形態に係る基地局装置と端末装置の初期アクセス手順の一例を示すフローチャートである。
【図１５】本発明の第2の実施形態に係る基地局装置と端末装置の初期アクセス手順の一例を示すフローチャートである。
【図１６】本発明の第3の実施形態に係る基地局装置と端末装置との初期アクセス手順の一例を示す概略図である。
【図１７】本発明の第5の実施形態に係る基地局装置と端末装置との初期アクセス手順の一例を示す概略図である。
【発明を実施するための形態】
【００２１】
以下、図面を参照しながら本発明の各実施形態について詳しく説明する。
【００２２】
（第1の実施形態）
図1は、本発明の第1の実施形態の無線通信システムの構成の一例を示す概略図である。
図1において、無線通信システムは、端末装置1、基地局装置3、およびコアネットワークにおけるMME（Mobility  Management  Entity）／GW（Gateway）装置4（非図示）を含んで構成される。基地局装置3は、基地局装置3Aと、基地局装置3Bを含んで構成される。基地局装置3と称するときは、基地局装置3A、基地局装置3Bの両方の基地局装置を表すものとする。また、基地局装置3には、基地局装置3A、基地局装置３Bに加え、他の複数の基地局装置（非図示）を含む。なお、基地局装置3には、MME／GW4を含めてもよい。基地局装置3は、MME／GW4とバックホールリンクS1（S1リンクとも称する。）で接続される。基地局装置3Aと基地局装置3Bとは、バックホールリンクX2（X2リンクとも称する）で接続される。
【００２３】
端末装置1は、基地局装置3への上りリンク、および基地局装置3から端末装置1への下りリンクを用いて基地局装置3と通信する。
基地局装置3は、複数のセルを形成（管理）して端末装置1と通信する。
【００２４】
ここで、本実施形態の物理チャネルおよび物理シグナルについて説明する。
【００２５】
端末装置1と基地局装置3との間の無線通信は、下記の物理チャネルが用いられてもよい。
・PCCH（Physical  Control  Channel）
・PSCH（Physical  Shared  Channel）
【００２６】
PCCHとPSCHとは、下りリンクと上りリンクとの両方を含み、下りリンク制御情報および／または上位層各サブフレームおよび／またはリソースユニットが下りリンクであるか上りリンクであるかを指示してもよい。以下では、上りリンクと下りリンクとのそれぞれのチャネルが定義されるものとして説明する。
【００２７】
端末装置1から基地局装置3への上りリンクの無線通信では、以下の上りリンク物理チャネルが用いられる。上りリンク物理チャネルは、上位層から出力された情報を送信するために、物理層によって使用される。
・PUCCH（Physical  Uplink  Control  Channel）
・PUSCH（Physical  Uplink  Shared  Channel）
・PRACH（Physical  Random  Access  Channel）
【００２８】
PUCCH（物理上りリンク制御チャネル）は、上りリンク制御情報（Uplink  Control  Information  ：  UCI）を送信するために用いられるチャネルである。上りリンク制御情報は、下りリンクのチャネル状態情報（Channel  State  Information  ：  CSI）初期送信のためのPUSCH（Uplink−Shared  Channel  ：  UL−SCH）リソースを要求するために用いられるスケジューリングリクエスト（Scheduling  Request  ：  SR）、下りリンクデータ（Transport  block、  Medium  Access  control  Protocol  Data  Unit  ：  MAC  PDU、  Downlink‐Shared  Channel  ：  DL−SCH、  physical  Downlink  Shared  Channel  ：  PDSCH）に対するＨＡＲＱ制御情報（Hybrid  Automatic  Repeat  request  ACKnowledgement  ：  HARQ−ACK）を含む。HARQ−ACKは、ACK（acknowledgement）および／またはNACK（negative−acknowledgement）を表す。ここで、ACKは、端末装置1においてDL−SCH／PDSCHの受信に成功したことを示し、NACKは、端末装置1においてDL−SCH／PDSCHの受信に失敗したことを示す。
【００２９】
CSIは、CQI（Channel  Quality  Indicator）、PMI（Precoding  Matrix  Indicator）、PTI（Precoding  Type  Indicator）、RI（Rank  Indicator）を含む。各Indicatorは、Indicationと表記されてもよい。
【００３０】
PUSCH（物理上りリンク共用チャネル）は、上りリンクデータ（Uplink−Shared  Channel  ：  UL−SCH）送信するために用いられる。また、PUSCHは、ランダムアクセスメッセージ3、レイヤ2メッセージ、レイヤ3メッセージとして、端末装置1に関する種々の上位層パラメータや各種設定情報、測定情報（例えば、測定レポート）を送信（通知）するために用いられる。また、PUSCHは、上りリンク制御情報を送信（通知）するためにも用いられる。また、PUSCHは、ランダムアクセスメッセージ3を含まない上りリンクデータと共にHARQ−ACKおよび／またはチャネル状態情報を送信するために用いられてもよい。また、PUSCHは、チャネル状態情報のみ、または、HARQ−ACKおよびチャネル状態情報のみを送信するために用いられてもよい。また、物理上りリンク共用チャネルの無線リソース割り当て情報は、物理下りリンク制御チャネルで示される。
【００３１】
PRACHは、ランダムアクセスプリアンブル（ランダムアクセスメッセージ1）を送信するために用いられる。PRACHは、初期コネクション確立（initial  connection  establishment）プロシージャ、ハンドオーバプロシージャ、コネクション再確立（connection  re−establishment）プロシージャ、上りリンク送信に対する同期（タイミング調整）、および／またはPUSCH（UL−SCH）リソースの要求を示すために用いられる。
【００３２】
基地局装置3から端末装置1への下りリンクの無線通信では、以下の下りリンク物理チャネルが用いられる。下りリンク物理チャネルは、上位層から出力された情報を送信するために、物理層によって使用される。
・PBCH（Physical  Broadcast  Channel）
・PCFICH（Physical  Control  Format  Indicator  Channel）
・PHICH（Physical  Hybrid  automatic  repeat  request  Indicator  Channel）
・PDCCH（Physical  Downlink  Control  Channel）
・EPDCCH（Enhanced  Physical  Downlink  Control  Channel）
・PDSCH（Physical  Downlink  Shared  Channel）
・PMCH（Physical  Multicast  Channel）
【００３３】
PBCH（物理報知情報チャネル）は、端末装置1で共通に用いられるマスターインフォメーションブロック（Master  Information  Block：MIB、Broadcast  Channel  ：  BCH、Essential  System  Information：  重要システム情報）を報知するために用いられる。
【００３４】
PCFICH（物理制御フォーマット指示チャネル）は、PDCCHの送信に用いられる領域（OFDMシンボル）を指示する情報を送信するために用いられる。
【００３５】
PHICH（物理HARQ指示チャネル）は、基地局装置3が受信した上りリンクデータ（Uplink  Shared  Channel  ：  UL−SCH）に対するACK（ACKnowledgement）および／またはNACK（Negative  ACKnowledgement）を示すHARQインディケータ（HARQフィードバック、応答情報、HARQ制御情報）を送信するために用いられる。
【００３６】
PDCCH（物理下りリンク制御チャネル）および／またはEPDCCH（拡張物理下りリンク制御チャネル）は、下りリンク制御情報（Downlink  Control  Information  :  DCI）を送信するために用いられる。下りリンク制御情報を、DCIフォーマットとも称する。下りリンク制御情報は、下りリンクグラント（downlink  grant）および／または上りリンクグラント（uplink  grant）を含む。下りリンクグラントは、下りリンクアサインメント（downlink  assignment）および／または下りリンク割り当て（downlink  allocation）とも称する。
【００３７】
1つの下りリンクグラントは、1つのサービングセル内の1つのPDSCHのスケジューリングに用いられる。下りリンクグラントは、該下りリンクグラントが送信されたサブフレームと同じサブフレーム内のPDSCHのスケジューリングに用いられる。
【００３８】
1つの上りリンクグラントは、1つのサービングセル内の1つのPUSCHのスケジューリングに用いられる。上りリンクグラントは、該上りリンクグラントが送信されたサブフレームより4つ以上後のサブフレーム内のPUSCHのスケジューリングに用いられる。
【００３９】
PDCCHで送信される上りリンクグラントは、DCIフォーマット0を含む。DCIフォーマット0に対応するPUSCHの送信方式は、シングルアンテナポートである。端末装置1は、DCIフォーマット0に対応するPUSCH送信のためにシングルアンテナポート送信方式を用いる。シングルアンテナポート送信方式が適用されるＰＵＳCＨは、1つのコードワード（1つのトランスポートブロック）の伝送に用いられる。
【００４０】
PDCCHで送信される上りリンクグラントは、DCIフォーマット4を含む。DCIフォーマット4に対応するPUSCHの送信方式は、閉ループ空間多重である。端末装置1は、DCIフォーマット4に対応するPUSCH送信のために閉ループ空間多重送信方式を用いる。閉ループ空間多重送信方式が適用されるPUSCHは、2つまでのコードワード（2つまでのトランスポートブロック）の伝送に用いられる。
【００４１】
下りリンクグラント、および／または、上りリンクグラントに付加されるCRC（Cyclic  Redundancy  Check）パリティビットは、C−RNTI（Cell−Radio  Network  Temporary  Identifier）、Temporary  C−RNTI、SPS（Semi  Persistent  Scheduling）C−RNTIによってスクランブルされる。C−RNTIおよび／またはSPS  C−RNTIは、セル内において端末装置を識別するための識別子である。Temporary  C−RNTIは、コンテンションベースランダムアクセス手順の間に用いられる。
【００４２】
C−RNTI（端末装置の識別子（識別情報））は、1つのサブフレームにおけるPDSCHおよび／またはPUSCHを制御するために用いられる。SPS  C−RNTIは、PDSCHおよび／またはPUSCHのリソースを周期的に割り当てるために用いられる。Temporary  C−RNTIは、ランダムアクセスメッセージ3の再送信、および／またはランダムアクセスメッセージ4の送信をスケジュールするために用いられる。
【００４３】
PDSCH（物理下りリンク共用チャネル）は、下りリンクデータ（Downlink  Shared  Channel  ：  DL−SCH）を送信するために用いられる。PDSCHは、ランダムアクセスメッセージ2（ランダムアクセスレスポンス）を送信するために用いられる。PDSCHは、ハンドオーバコマンドを送信するために用いられる。
【００４４】
ランダムアクセスレスポンスは、ランダムアクセスレスポンスグラントを含む。ランダムアクセスレスポンスグラントは、PDSCHで送信される上りリンクグラントである。端末装置1は、ランダムアクセスレスポンスグラントに対応するPUSCH送信、および／または、同じトランスポートブロックに対する該PUSCH再送信のためにシングルアンテナポート送信方式を用いる。
【００４５】
PMCHは、マルチキャストデータ（Multicast  Channel  ：  MCH）を送信するために用いられる。
【００４６】
下りリンクの無線通信では、以下の下りリンク物理シグナルが用いられる。下りリンク物理シグナルは、上位層から出力された情報を送信するために使用されないが、物理層によって使用される。
・同期信号（Synchronization  signal  ：  SS）
・下りリンク参照信号（Downlink  Reference  Signal  :  DL  RS）
【００４７】
同期信号は、端末装置１が下りリンクの周波数領域および／または時間領域の同期をとるために用いられる。
【００４８】
下りリンク参照信号は、端末装置1が下りリンク物理チャネルの伝搬路補正を行うために用いられる。下りリンク参照信号は、端末装置1が下りリンクのチャネル状態情報を算出するために用いられる。
【００４９】
本実施形態において、以下の7つのタイプの下りリンク参照信号が用いられる。
・CRS（Cell−specific  Reference  Signal）
・PDSCHに関連するUERS（UE−specific  Reference  Signal）
・EPDCCHに関連するDMRS（Demodulation  Reference  Signal）
・NZP  CSI−RS（Non−Zero  Power  Chanel  State  Information−Reference  Signal）
・ZP  CSI−RS（Zero  Power  Chanel  State  Information−Reference  Signal）
・MBSFN  RS（Multimedia  Broadcast  and  Multicast  Service  over  Single  Frequency  Network  Reference  signal）
・PRS（Positioning  Reference  Signal）
【００５０】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５１】
BCH、MCH、UL−SCHおよびDL−SCHは、トランスポートチャネルである。媒体アクセス制御（Medium  Access  Control  ：  MAC）層で用いられるチャネルをトランスポートチャネルと称する。MAC層で用いられるトランスポートチャネルの単位を、トランスポートブロック（transport  block  ：  TB）および／またはMAC  PDU（Protocol  Data  Unit）とも称する。MAC層においてトランスポートブロック毎にHARQ（Hybrid  Automatic  Repeat  reQuest）の制御が行われる。トランスポートブロックは、MAC層が物理層に渡す（deliver）データの単位である。物理層において、トランスポートブロックはコードワードにマップされ、コードワード毎に符号化処理が行われる。
【００５２】
次に、本発明の第1の実施形態に係る無線フレームの概略構成の一例を説明する。
時間領域における種々のフィールドのサイズは、時間ユニットTs＝1／（15000・2048）秒の数によって表現される。無線フレームの長さは、Tf＝307200・Ts＝10msである。それぞれの無線フレームは、時間領域において連続する10のサブフレームを含む。それぞれのサブフレームの長さは、Tsubframe＝30720・Ts＝１msである。それぞれのサブフレームiは、時間領域において連続する２つのスロットを含む。該時間領域において連続する２つのスロットは、無線フレーム内のスロット番号ｎｓが２iのスロット、および／または、無線フレーム内のスロット番号nsが2i＋1のスロットである。それぞれのスロットの長さは、Tslot＝153600・ns＝0.5msである。それぞれの無線フレームは、時間領域において連続する10のサブフレームを含む。それぞれの無線フレームは、時間領域において連続する20のスロット（ns＝0，1,・・・，19）を含む。
【００５３】
本実施形態において、以下の2つのタイプの上り参照信号もTA（Timing  Advance、  Time  alignment）を測る（測定する、計算する）ために用いられる。TAは、PUSCH送信やPUCCH送信等の送信タイミングである。
・DMRS（Demodulation  Reference  Signal）
・SRS  （Sounding  Reference  Signal）
【００５４】
DMRS（復調参照信号）は、PUCCH（Physical  Uplink  control  Channel）および／またはPUSCH（Physical  Uplink  Shared  Channel）と共に送信される。DMRSは、PUCCHおよび／またはPUSCHのリソースブロークに格納され、時間多重される。基地局装置3は、PUSCHおよび／またはPUCCHの伝搬路補正を行うためにDMRSを使用する。以下、PUSCHとDMRSを共に（多重して）送信することを、単にPUSCHを送信すると称する。以下、PUCCHとDMRSを共に（多重して）送信することを、単にPUCCHを送信すると称する。
【００５５】
SRS（サウンディング参照信号）は、周波数スケジューリングを適用するための受信品質の測定やタイミング調整に用いられる。また、SRSは、PUSCHの送信やPUCCHの送信には関連しない。基地局装置3は、チャネル状態の測定のためにSRSを用いる。SRSは、上りリンクサブフレームにおける所定のシンボルにおいて送信される。具体的には、SRSは、最後のSC−FDMAシンボル、および／またはUpPTSにおけるSC−FDMAシンボルにおいて送信される。本実施形態では、基地局装置3A、基地局装置3Bは、SRSを利用してチャネル状態を把握してもよいし、上りタイミングを測定してもよい。
【００５６】
上述したように、物理チャネルは、上位層から出力される情報を伝送するリソースエレメントのセットに対応する。物理信号は、物理層で使用され、上位層から出力される情報を伝送しない。つまり、無線リソース制御（Radio  Resource  Control  ：  RRC）メッセージやシステム情報（System  Information  ：  SI）などの上位層の制御情報は、物理チャネルで伝送される。
【００５７】
また、上述したように、下りリンク物理チャネルには、物理下りリンク共用チャネル（PDSCH）、物理報知情報チャネル（PBCH）、物理マルチキャストチャネル（PMCH）、物理制御フォーマットインディケータチャネル（PCFICH）、物理下りリンク制御チャネル（PDCCH）、物理ハイブリットＡＲＱインディケータチャネル（PHICH）、拡張物理下りリンク制御チャネル（EPDCCH）がある。なお、物理共用チャネル（Physical  Shared  Channel  ：  PSCH）として、物理下りリンク共用チャネル（PDSCH）と、物理上りリンク制御チャネル（PUCCH）とを送信してもよい。
【００５８】
また、上述したように、下りリンク物理信号は、種々の参照信号と種々の同期信号がある。下りリンク参照信号には、セル固有参照信号（CRS）、端末装置固有参照信号（UERS）、チャネル状態情報参照信号（CSI−RS）がある。同期信号には、プライマリー同期信号（Primary  Synchronization  Signal  ：  PSS）とセカンダリー同期信号（Secondary  Synchronization  Signal  ：  SSS）がある。
【００５９】
同期信号（Synchronization  Signal  ：  SS）は、3種類のプライマリー同期信号（PSS）と、周波数領域で互い違いに配置される31種類の符号から構成されるセカンダリー同期信号（SSS）とで構成され、プライマリー同期信号とセカンダリー同期信号との組み合わせによって、基地局装置を識別する504通りのセル識別子（PCI（物理セルID）  ：（Physical  layer  Cell  Identity、Physical  Cell  Identity、Physical  Cell  Identifier））と無線同期のためのフレームタイミングが示される。端末装置は、セルサーチによって受信した同期信号のセル識別子を特定する。
【００６０】
種々の物理チャネル／物理信号（PRACH、PUCCH、PUSCH、SRS、UL  DMRS、CRS、CSI−RS、PDCCH、PDSCH、PSS／SSS、DL  DMRS、PBCH、PMCHなど）を設定するために必要な情報要素は、同一セル内の端末装置間で共有する共有設定情報と、端末装置毎に設定される専用設定情報で構成される。共有設定情報は、システムインフォメーションで送信されてもよい。また、共有設定情報は、再設定を行う場合には、専用情報として送信されてもよい。
【００６１】
次に、本実施形態における無線フレームの構成について説明する。
【００６２】
図2は、本発明の第1の実施形態に係る上りリンクスロットの概略構成の一例を示す図である。
無線フレームのそれぞれは、10ｍｓ長である。また、無線フレームのそれぞれは20個のスロットから構成される。スロットのそれぞれは、0.5ms長であり、0から19の番号がつけられる。サブフレームのそれぞれは、1ｍｓ長であり、2つの連続するスロットによって定義される。無線フレーム内のｉ番目のサブフレームは、（2×i）番目のスロットと（2×i＋1）番目のスロットとから構成される。つまり、10ms間隔のそれぞれにおいて、１０個のサブフレームが利用できる。
【００６３】
スロットのそれぞれにおいて送信される信号および／または物理チャネルは、リソースグリッドによって表現される。リソースグリッドは、複数のサブキャリアと複数のOFDMシンボルによって定義される。1つのスロットを構成するサブキャリアの数は、セルの上りリンクの帯域幅に依存する。1つのスロットを構成するOFDMシンボルの数は、標準サイクリックプレフィックス（NCP、Normal  Cyclic  Prefix）の場合、7である。また、1つのスロットを構成するOFDMシンボルの数は、NCPよりも長いCPが付与される拡張CP（ECP、Extended  Cyclic  Prefix）の場合、6である。つまり、1つのスロットを構成するOFDMシンボルの数は、付与されるCPの長さに基づいてもよい。リソースグリッド内のエレメントのそれぞれをリソースエレメントと称する。リソースエレメントは、サブキャリアの番号とOFDMシンボルの番号とを用いて識別される。
【００６４】
リソースブロックは、ある物理上りリンクチャネル（PUSCHなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。NCPの場合、1つの物理リソースブロックは、時間領域において7個の連続するOFDMシンボルと周波数領域において12個の連続するサブキャリアとから定義される。つまり、1つの物理リソースブロックは、（7×12）個のリソースエレメントから構成される。ECPの場合、1つの物理リソースブロックは、時間領域において6個の連続するOFDMシンボルと、周波数領域において12個の連続するサブキャリアとにより定義される。つまり、1つの物理リソースブロックは、（6×12）個のリソースエレメントから構成される。
また、1つの物理リソースブロックは、時間領域において1つのスロットに対応し、周波数領域において180kHzに対応する。物理リソースブロックは、周波数領域において０から番号が付けられている。
【００６５】
図3は、時間領域におけるサブフレーム（サブフレームタイプ、リソースユニット、時間間隔（Time  Interval  ：  TI）と称してもよい）の概略構成の一例を示す図である。
図3（A）は、サブフレーム内の時間リソースが全て下りリンク（Downlink）のリソースの場合であり、図3（B）は、サブフレーム内の先頭の一部のリソースが下りリンク（Dと示している）のリソースであり、ギャップを介して上りリンクの通信のためのリソースとなっている。例えば、図3（A）および／または図3（B）のオペレーションの一例として、下りリンクリソースを下りリンク制御チャネルとして適用し、下りリンク制御チャネルで送信されている下りリンク制御情報で下りリンクと指示されていれば図3（A）を時間リソースの構成であるとみなし、上りリンクと指示された場合には、図3（A）を時間リソースの構成であるとみなし、ギャップを介して残りの時間リソースで上りリンクの通信を行う。
【００６６】
図3（C）は、サブフレーム内の先頭から下りリンクリソースとして図3（B）の下りリンクのリソースと上りリンクのリソースの割合と異なる。このオペレーションの一例として、下りリンクリソースで制御情報及び下りリンクデータを受信し、下りリンクデータに対するHARQ-ACKを、ギャップを介してHARQ-ACKのための上りリンクリソース（Uと示している）とみなす。
【００６７】
図3（D）は、図3（B）および／または図3（C）の下りリンクリソースと上りリンクリソースの割合と異なる場合の一例である。例えば、図3（D）に示す例では、下りリンクリソースおよび／または上りリンクリソースで下りリンク制御情報及び下りリンクデータ通信、および／または上りリンク制御情報と上りリンクデータ通信をそれぞれ行うことができる。
【００６８】
図3（E）は、サブフレーム内のリソースが全て上りリンク（Uplink）のリソースである場合を示している。例えば、大容量の上りリンクデータの送信を行う際に複数のサブフレームを使用する場合、端末装置は、上位層および／または時間的に前のサブフレームによる下りリンク制御情報のリソースから後のリソースが全て上りリンクのリソースであることを示す情報（および／またはパラメータ）を受信することで、図3（E）のようなサブフレームとみなすことができる。
【００６９】
図3（A）から図3（E）における下りリンクパート（Downlinkおよび／またはDと示している時間リソース）、ギャップ、上りリンクパート（Uplinkおよび／またはUと示している時間リソース）の時間長（および／または時間間隔）は、基地局装置3により上位層で設定されてもよいし、下りリンク制御情報において無線リソースおよび／またはサブフレーム単位で設定されてもよい。
【００７０】
次に本発明の第1の実施形態に係る基地局装置3が端末装置1と通信に用いるサブキャリアのサブキャリア間隔について説明する。
【００７１】
図4は、本発明の第1の実施形態に係る基地局装置3と端末装置1との間の通信に用いられるサブキャリアのサブキャリア間隔の一例を示す概略図である。
図4（A）は、基地局装置3と端末装置1との間の通信に用いられるサブキャリアのサブキャリア間隔が15kHzであるときの一例である。図3（B）は、基地局装置3と端末装置1との間の通信に用いられるサブキャリアのサブキャリア間隔が30kHzであるときの一例である。図3（C）は、基地局装置3と端末装置1との間の通信に用いられるサブキャリアのサブキャリア間隔が60kHzであるときの一例である。
【００７２】
基地局装置3および／または端末装置1は、異なる複数のサブキャリア間隔のサブキャリアを用いて通信を行ってもよい。すなわち、基地局装置3と端末装置１との間の通信は、図4（A）、図4（B）、図4（C）に示すような複数のサブキャリア間隔のサブキャリアのいずれか１つおよび／または複数を用いてもよい。
【００７３】
ここで、図4（B）に図示するサブキャリア間隔は、例えば、図4（A）に図示するサブキャリア間隔の2の1乗倍のサブキャリア間隔であり、図4（C）に図示するサブキャリア間隔は、例えば、図4（A）に図示するサブキャリア間隔の2の2乗倍のサブキャリア間隔である。すなわち、基地局装置3と端末装置1とは、所定のサブキャリア間隔のサブキャリアと、該所定のサブキャリア間隔の2のべき乗倍のサブキャリア間隔のサブキャリアとを用いて通信を行ってもよい。
【００７４】
なお、図4に示すサブキャリア間隔は一例であり、任意のサブキャリア間隔を用いてもよいし、該任意のサブキャリア間隔の2倍、3倍などのように任意の正数倍のサブキャリア間隔のサブキャリアを用いてもよいし、3のべき乗倍、4のべき乗倍のように任意の正数のべき乗倍のサブキャリア間隔のサブキャリアを用いてもよい。
【００７５】
図5は、本発明の第1の実施形態に係る異なるサブキャリア間隔のサブキャリアのそれぞれに対する周波数リソース割り当ての一例を示す概略図である。
また、図6は、本発明の第1の実施形態に係る異なるサブキャリア間隔のサブキャリアごとのリソースグリッドの一例を示す概略図である。
図5、図6に図示する例では、周波数軸上において、NRに用いられるシステム帯域幅のうち、15kHzのサブキャリア間隔のサブキャリアを用いた通信と、60kHzのサブキャリア間隔のサブキャリアを用いた通信とに対して、それぞれ周波数リソースが割り当てられている。また、図5、図6に図示する例では、周波数軸上において、60kHzのサブキャリア間隔のサブキャリアを用いた通信に対して割り当てられた周波数リソースが、30kHzのサブキャリア間隔のサブキャリアを用いた通信に対しても割り当てられている。
【００７６】
次に、端末装置1における基地局装置3への初期アクセス手順について説明する。
【００７７】
初期アクセスでは、端末装置1は下記の処理を行う。
・F1：  ID  detection
・F2：  荒い時間領域同期
・F3：  荒い周波数同期
・F4：  高精度な時間/周波数同期
・F5：  フレーム同期
・F6：  サブフレーム同期
【００７８】
端末装置1は、初期アクセスとして基地局装置3の接続可能なセル（ビーム）を探索（セル（ビーム）サーチ）する。各セル（ビーム）は、アイデンティティ（物理セルID、ビームID、参照信号IDなど）により特定される。端末装置1は、基地局装置3が所定周期で送信するプライマリー同期信号（PSS）を検出する。例えば、端末装置1は、基地局装置3が所定周期で送信するプライマリー同期信号（PSS）を検出することにより、アイデンティティ（物理セルID、ビームIDなど）を特定（決定、検出、同定）してもよい（F1、F2、F3ができる）。このとき、PSSの時間位置が無線フレーム内において仕様で定められている場合には無線フレームの同期もできる（F5ができる）。
【００７９】
また、端末装置1は、基地局装置3が所定周期で送信するセカンダリー同期信号（SSS）を検出する。例えば、端末装置1は、基地局装置3が所定周期で送信するセカンダリー同期信号（SSS）を検出することにより、アイデンティティ（物理セルID、ビームID、参照信号IDなど）を特定（決定、検出、同定）してもよい（F1ができる）。このとき、セカンダリー同期信号（SSS）の時間位置やセカンダリー同期信号（SSS）の信号生成法が無線フレーム内のサブフレームやスロットに基づいていれば、サブフレーム同期もできる（F6ができる）。
【００８０】
また、端末装置1は、プライマリー同期信号（PSS）を検出することにより、アイデンティティ（物理セルID、ビームID、参照信号IDなど）に関連する情報を取得し、セカンダリー同期信号（SSS）を検出することができる。端末装置1は、プライマリー同期信号（PSS）、セカンダリー同期信号（SSS）の検出により、アイデンティティ（物理セルID、ビームIDなど）を特定（決定、検出）してもよい。この場合、アイデンティティ（物理セルID、ビームID）に関連する情報を取得できなければ、セカンダリー同期信号（SSS）を正しく検出することができない。
【００８１】
すなわち、端末装置1は、セル（ビーム）サーチにより、プライマリー同期信号（PSS）およびセカンダリー同期信号（SSS）のいずれか一方または両方を検出することでアイデンティティ（物理セルID、ビームID、参照信号IDなど）を特定（決定、検出、同定）する。端末装置1は、アイデンティティ（物理セルID、ビームID、参照信号IDなど）を特定（決定、検出、同定）することで、物理報知情報チャネル（PBCH）の受信することができる。
以下の説明において、プライマリー同期信号（PSS）を第1の同期信号とも称し、セカンダリー同期信号（SSS）を第2の同期信号とも称する。
【００８２】
物理報知情報チャネル（PBCH）では、マスターインフォメーションブロック（MIB）が報知される。マスターインフォメーションブロック（MIB）には、サブキャリア間隔、システム帯域幅（dl−Bandwidth）、時間／周波数オフセット、時間／周波数リソース、システムフレーム番号（System  frame  number）、参照位置（Reference  point）などの情報が含まれてもよい。参照位置（Reference  point）の情報は、マスターインフォメーションブロック（MIB）の中心周波数、参照信号の位置、マスターインフォメーションブロック（MIB）が送信（報知）されるシステム帯域の周波数範囲などの情報が含まれてもよい。
【００８３】
なお、参照位置（Reference  point）の情報は、第2の同期信号（セカンダリー同期信号（SSS））に含まれてもよいし、第1の同期信号（PSS）、第2の同期信号（SSS）とは異なる第3の同期信号に含まれてもよいし、他の制御情報やパラメータなどに含まれてもよい。この場合、端末装置1は、参照位置（Reference  point）に基づいてMIBを検出してもよいしブラインドデコーディングしてもよい。また、参照位置は、予め定められていてもよい。
また、サブキャリア間隔ごとに専用のマスターインフォメーションブロック（MIB）を用いてもよいし、あるサブキャリア間隔のマスターインフォメーションブロック（MIB）に異なるサブキャリア間隔のマスターインフォメーションブロック（MIB）を含めてもよい。
【００８４】
図7は、本発明の第1の実施形態に係る基地局装置3と端末装置1との初期アクセス手順の一例を示す概略図である。
基地局装置3は、所定周期で第1の同期信号（PSS）を、第1のサブキャリア間隔（例えば15kHzのサブキャリア間隔）で送信する。
また、基地局装置3は、所定周期で第2の同期信号（SSS）を、第1のサブキャリア間隔（例えば15kHzのサブキャリア間隔）で送信する。
端末装置1は、セルサーチ（ビームサーチ）を行い、基地局装置3から所定周期で送信される第1の同期信号（PSS）を検出する。端末装置1は、第1のサブキャリア間隔で送信された第1の同期信号（PSS）を検出すると、アイデンティティ（物理セルID、ビームID、参照信号IDなど）に関連する情報を取得する。端末装置1は、アイデンティティ（物理セルID、ビームID、参照信号IDなど）に関連する情報を取得すると、基地局装置3から所定周期で送信される第2の同期信号（SSS）を検出する。
【００８５】
ここで、同期信号の周波数（搬送周波数・中心周波数）は、周波数間隔のラスタ単位で定められる。例えば、端末装置1は、100kHz間隔のラスタに対して第1の同期信号（PSS）の検出を行う。
【００８６】
また、第2の同期信号（SSS）の時間リソースは、第1の同期信号（PSS）から特定されてもよい。第2の同期信号（SSS）の周波数リソースは、第1の同期信号（PSS）から特定されてもよい。第2の同期信号（SSS）をサーチする時間（タイミング）は、第1の同期信号（PSS）と時間を共有し、第1の同期信号の時間境界で第2の同期信号（SSS）を検出してもよい。また、第1の同期信号（PSS）のアイデンティティから第2の同期信号（SSS）の時間リソースが特定されてもよい。
【００８７】
また、第1の参照信号および／または第2の参照信号の時間リソースおよび／または周波数リソースは、第1の同期信号（PSS）および／または第2の同期信号（SSS）の時間リソースおよび／または周波数リソースおよび／またはアイデンティティから特定されてもよい。第1の参照信号および／または第2の参照信号が配置される時間リソースおよび／または周波数リソースの範囲は、第1の同期信号（PSS）および／または第2の同期信号（SSS）の時間リソースおよび／または周波数リソースおよび／またはアイデンティティから特定されてもよい。前記時間リソースおよび／または周波数リソースの範囲の中に配置される第1の参照信号および／または第2の参照信号の時間および／または周波数リソースは、端末装置１によって検出されてもよい。第1の参照信号および／または第2の参照信号は、任意のサブキャリア間隔で時間および／または周波数リソースが定められてもよい。端末装置１は、任意のサブキャリア間隔で、第1の参照信号および／または第2の参照信号を検出してもよい。
【００８８】
端末装置1は、第1の同期信号（PSS）および／または第2の同期信号（SSS）により、アイデンティティ（物理セルID、ビームID、参照信号IDなど）を特定（検出、決定、同定）する。端末装置1は、特定（検出、決定）したアイデンティティ（物理セルID、ビームID、参照信号IDなど）に基づいて、第1のサブキャリア間隔（例えば15kHzのサブキャリア間隔）とは異なる第2のサブキャリア間隔（例えば30kHzのサブキャリア間隔）で送信される第1の参照信号を受信する。第1の参照信号は、第2のサブキャリア間隔（例えば、30kHzのサブキャリア間隔）に対して定められた時間リソースおよび／または周波数リソースに配置（マップ）される。ここで、時間リソースおよび／または周波数リソースをリソースエレメントとも称する。換言すれば、リソースエレメントは時間リソースおよび／または周波数リソースによって規定される。
【００８９】
なお、図示する例のように、第2の参照信号が送信されるサブキャリア間隔が第1の同期信号および／または第2の同期信号が送信されるサブキャリア間隔と同じサブキャリア間隔であってもよいし、第1の同期信号および／または第2の同期信号が送信されるサブキャリア間隔と、第1の参照信号が送信されるサブキャリア間隔と、第2の参照信号が送信されるサブキャリア間隔とがそれぞれ異なっていてもよい。
【００９０】
第1の参照信号および／または第2の参照信号を用いてデータ通信ができる程度の高精度な同期（例えば、高速フーリエ変換（Fast  Fourier  Transform  ：  FFT）の窓同期や、周波数オフセットの補償）ができる（F4ができる）。
【００９１】
図8は、本発明の第1の実施形態に係る基地局装置3によりマッピングされた第1のサブキャリア間隔で送信される参照信号の一例を示す概略図である。
図9は、本発明の第1の実施形態に係る基地局装置3によりマッピングされた第2のサブキャリア間隔で送信される参照信号の一例を示す概略図である。
図10は、本発明の第1の実施形態に係る基地局装置3によりマッピングされた第3のサブキャリア間隔で送信される参照信号の一例を示す概略図である。
具体的には、図8に示す例では、15KHzのサブキャリア間隔用の参照信号のマッピングの一例であり、図9に示す例では、30KHzのサブキャリア間隔用の参照信号のマッピングの一例であり、図10に示す例では、60KHzのサブキャリア間隔用の参照信号のマッピングの一例である。
【００９２】
図8、図9、図10に図示する例は、1つのサブフレーム内の2つのリソースブロック（Resource  Block  ：  RB）ペアを示している。1つのリソースブロックは、周波数方向に予め定められた数のサブキャリアと、時間方向に予め定められた数のOFDMシンボルで構成される。1つのOFDMシンボルのうち、それぞれのサブキャリアをリソースエレメント（Resource  Element  ：  RE）と呼ぶ。
【００９３】
ここで、リソースブロックは、通信システムが用いる周波数帯域幅（システム帯域幅）に応じて、その数を変えることができる。例えば、所定数のリソースブロックを用いることができ、それを1つの単位としてコンポーネントキャリア（Component  Carrier、Carrier  Component  ：CC）とも呼ぶ。
【００９４】
例えば、参照信号（Reference  Signal）は、図中の黒塗りで示すリソースエレメントにマッピングされる。ここで、図示する例は、1つのアンテナポート（One  antenna  port）の場合の一例であるが、その数を変えることができ、例えば、2つのアンテナポート（Two  antenna  port）、4つのアンテナポート（Four  antenna  port）に対する参照信号をマッピングすることも可能である。また、図示する例は、アンテナポートXの場合である場合の一例であるが、CRSは、所定数のアンテナポート（アンテナポート0からX）に設定することができる。
【００９５】
なお、データ信号や制御信号は、図中の白塗りのリソースエレメントにマッピングされる。なお、CSI−RS、DMRSなどのその他の参照信号がマッピングされてもよい。
【００９６】
なお、図8、図9、図10では、時間周領域および／または周波数領域においてスキャッタード構成で配置されているが、特定のOFDMシンボルの全サブキャリアに参照信号（RS）が配置されてもよい。例えば、サブフレームの先頭のAシンボル（Aは1より大きい整数）のみが参照信号（RS）シンボルであってもよい。
【００９７】
以下、本発明の第1の実施形態における端末装置1、基地局装置3の構成について説明する。
【００９８】
図11は、本発明の第1の実施形態に係る端末装置1の構成の一例を示す概略ブロック図である。
端末装置1は、処理部101と、制御部103と、受信部105と、送信部107と、送受信アンテナ部109と、を含んで構成される。また、処理部101は、無線リソース制御部1011と、スケジューリング情報解釈部1013と、を含んで構成される。また、受信部105は、復号化部1051と、復調部1053と、多重分離部1055と、無線受信部1057と、チャネル測定部1059と、を含んで構成される。また、送信部107は、符号化部1071と、変調部1073と、多重部1075と、無線送信部1077と、上りリンク参照信号生成部1079と、を含んで構成される。
なお、端末装置1の各機能部を1つ又は複数の集積回路によって実現可能に構成にしてもよいし、ソフトウェアによって実現してもよい。
【００９９】
処理部101は、ユーザの操作等により生成された上りリンクデータ（トランスポートブロック）を、送信部107に出力する。また、処理部101は、媒体アクセス制御（Medium  Access  Control  ：  MAC）、パケットデータ統合プロトコル（Packet  Data  Convergence  Protocol  ：  PDCP）層、無線リンク制御（Radio  Link  Control  ：  RLC）層、無線リソース制御（Radio  Resource  Control  ：  RRC）層等の処理を行う。
【０１００】
処理部101が備える無線リソース制御部1011は、自装置の各種設定情報／パラメータの管理をする。無線リソース制御部1011は、基地局装置3から受信した上位層の信号に基づいて各種設定情報／パラメータをセットする。すなわち、無線リソース制御部1011は、基地局装置3から受信した各種設定情報／パラメータを示す情報に基づいて各種設定情報／パラメータをセットする。また、無線リソース制御部1011は、上りリンクの各チャネルに配置される情報を生成し、送信部107に出力する。無線リソース制御部1011を設定部1011とも称する。
【０１０１】
ここで、処理部101が備えるスケジューリング情報解釈部1013は、受信部105を介して受信したDCIフォーマット（スケジューリング情報、ULグラント）を解釈（解析）し、該DCIフォーマットを解釈した結果（解析結果）に基づき、受信部105、および送信部107の制御を行うために制御情報を生成し、制御部103に出力する。
【０１０２】
また、制御部103は、処理部101からの制御情報に基づいて、受信部105、および送信部107の制御を行う制御信号を生成する。制御部103は、生成した制御信号を受信部105、および送信部107に出力して受信部105、および送信部107の制御を行う。
【０１０３】
また、受信部105は、制御部103から入力された制御信号に従って、送受信アンテナ部109を介して基地局装置3から受信した受信信号を、分離、復調、復号し、復号した情報を処理部101に出力する。
【０１０４】
また、無線受信部1057は、送受信アンテナ部109を介して受信した下りリンクの信号を、直交復調によりベースバンド信号に変換し（ダウンコンバート:  Down  Covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部1057は、変換したディジタル信号からCP（Cyclic  Prefix）に相当する部分を除去し、CPを除去した信号に対して高速フーリエ変換（Fast  Fourier  Transform  ：  FFT）を行い、周波数領域の信号を抽出する。無線受信部1057において行われる処理の詳細は後述する。
【０１０５】
また、多重分離部1055は、抽出した信号をPHICH、PDCCH、PDSCH、および、下りリンク参照信号に、それぞれ分離する。また、多重分離部1055は、チャネル測定部1059から入力された伝搬路の推定値から、PHICH、PDCCH、PDSCHの伝搬路の補償を行う。また、多重分離部1055は、分離した下りリンク参照信号をチャネル測定部1059に出力する。
【０１０６】
また、復調部1053は、PHICHに対して対応する符号を乗算して合成し、合成した信号に対してBPSK（Binary  Phase  Shift  Keying）変調方式の復調を行い、復号化部1051へ出力する。復号化部1051は、自装置宛てのPHICHを復号し、復号したHARQインディケータを処理部101に出力する。復調部1053は、PDCCHに対して、QPSK変調方式の復調を行い、復号化部1051へ出力する。復号化部1051は、PDCCHの復号を試み、復号に成功した場合、復号した下りリンク制御情報と下りリンク制御情報が対応するRNTIとを処理部101に出力する。
【０１０７】
また、復調部1053は、PDSCHに対して、QPSK（Quadrature  Phase  Shift  Keying）、16QAM（Quadrature  Amplitude  Modulation）、64QAM等の下りリンクグラントで通知された変調方式の復調を行い、復号化部1051へ出力する。復号化部1051は、下りリンク制御情報で通知された符号化率に関する情報に基づいて復号を行い、復号した下りリンクデータ（トランスポートブロック）を処理部101へ出力する。
【０１０８】
また、チャネル測定部1059は、多重分離部1055から入力された下りリンク参照信号から下りリンクのパスロスやチャネルの状態を測定し、測定したパスロスやチャネルの状態を処理部101へ出力する。また、チャネル測定部1059は、下りリンク参照信号から下りリンクの伝搬路の推定値を算出し、多重分離部1055へ出力する。チャネル測定部1059は、CQI（CSIでもよい）の算出のために、チャネル測定、および／または／および／または、干渉測定を行う。
【０１０９】
また、送信部107は、制御部103から入力された制御信号に従って、上りリンク参照信号を生成し、処理部101から入力された上りリンクデータ（トランスポートブロック）を符号化および／または変調し、PUCCH、PUSCH、および／または生成した上りリンク参照信号を多重し、送受信アンテナ部109を介して基地局装置３に送信する。また、送信部107は、上りリンク制御情報を送信する。
【０１１０】
また、符号化部1071は、処理部101から入力された上りリンク制御情報を畳み込み符号化、ブロック符号化等の符号化を行う。また、符号化部1071は、PUSCHのスケジューリングに用いられる情報に基づきターボ符号化を行う。
【０１１１】
また、変調部1073は、符号化部1071から入力された符号化ビットをBPSK、QPSK、16QAM、64QAM等の下りリンク制御情報で通知された変調方式および／または、チャネル毎に予め定められた変調方式で変調する。変調部1073は、PUSCHのスケジューリングに用いられる情報に基づき、空間多重されるデータの系列の数を決定し、MIMO（Multiple  Input  Multiple  Output）、SM（Spatial  Multiplexing）を用いることにより同一のPUSCHで送信される複数の上りリンクデータを、複数の系列にマッピングし、この系列に対してプレコーディング（precoding）を行う。
【０１１２】
また、上りリンク参照信号生成部1079は、基地局装置3を識別するための物理レイヤセル識別子（Physical  layer  cell  identity  ：  PCI、Cell  IDなどと称する。）、上りリンク参照信号を配置する帯域幅、上りリンクグラントで通知されたサイクリックシフト、DMRSシーケンスの生成に対するパラメータの値などを基に、予め定められた規則（式）で求まる系列を生成する。多重部1075は、制御部103から入力された制御信号に従って、PUSCHの変調シンボルを並列に並び替えてから離散フーリエ変換（Discrete  Fourier  Transform  ：DFT）する。また、多重部1075は、PUCCHとPUSCHの信号と生成した上りリンク参照信号を送信アンテナポート毎に多重する。つまり、多重部1075は、PUCCHとPUSCHの信号と生成した上りリンク参照信号を送信アンテナポート毎にリソースエレメントに配置する。
【０１１３】
また、無線送信部1077は、多重された信号を逆高速フーリエ変換（Inverse  Fast  Fourier  Transform  ：  IFFT）して、SC−FDMAシンボルを生成し、生成されたSC−FDMAシンボルにCPを付加し、ベースバンドのディジタル信号を生成し、ベースバンドのディジタル信号をアナログ信号に変換し、ローパスフィルタを用いて余分な周波数成分を除去し、搬送波周波数にアップコンバート（up  convert）し、電力増幅し、送受信アンテナ部109に出力して送信する。
【０１１４】
図12は、本発明の第1の実施形態に係る端末装置1の無線受信部1057の構成の一例を示す概略ブロック図である。
無線受信部1057は、RF（Radio  Frequency）部110と、A／D（Analog  to  Digital）変換部111と、PSS受信部112と、SSS受信部113と、ID検出部114と、参照信号受信部115と、RSRP（Reference  Signal  Received  Power）算出部116と、MIB検出部117と、を含んで構成される。
【０１１５】
RF部110は、送受信アンテナ部109を介して受信した信号を、直交復調によりベースバンド信号に変換（ダウンコンバート:  Down  covert）し、不要な周波数成分を除去する。RF部110は、不要な周波数成分を除去する処理を施したアナログ信号をA／D変換部111に出力する。
【０１１６】
A／D変換部111は、RF部110から入力されたアナログ信号を、ディジタル信号に変換する。A／D変換部111は、変換したディジタル信号からCP（Cyclic  Prefix）に相当する部分を除去し、CPを除去した信号に対して高速フーリエ変換（Fast  Fourier  Transform：FFT）を行い、周波数領域の信号を抽出する。A／D変換部111は、抽出した周波数領域の信号をPSS受信部112と、SSS受信部113と、参照信号受信部115と、RSRP算出部116と、MIB検出部117と、に出力する。
【０１１７】
PSS受信部112（第1の受信部、第1の同期信号受信部ともいう。）は、初期アクセスとして基地局装置3の接続可能なセル（ビーム）を探索（セル（ビーム）サーチ）する。各セル（ビーム）は、アイデンティティ（物理セルID、ビームIDなど）により特定される。PSS受信部112は、A／D変換部111から入力された周波数領域の信号から基地局装置3が所定周期で送信するプライマリー同期信号（PSS、第1の同期信号）を検出する。PSS受信部112は、検出したプライマリー同期信号（PSS、第1の同期信号）をID検出部114に出力する。
【０１１８】
SSS受信部113（第2の受信部、第2の同期信号受信部ともいう。）は、A／D変換部111から入力された周波数領域の信号から基地局装置3が所定周期で送信するセカンダリー同期信号（SSS、第2の同期信号）を検出する。SSS受信部113は、検出したセカンダリー同期信号（SSS、第2の同期信号）をID検出部114に出力する。
【０１１９】
ID検出部114（アイデンティティ検出部、検出部ともいう。）は、PSS受信部112が検出した基地局装置3が所定周期で送信するプライマリー同期信号（PSS）により、アイデンティティ（物理セルID、ビームIDなど）を特定（決定、検出）してもよい。また、ID検出部114は、SSS受信部113が検出した基地局装置3が所定周期で送信するセカンダリー同期信号（SSS）により、アイデンティティ（物理セルID、ビームIDなど）を特定（決定、検出）してもよい。
【０１２０】
また、ID検出部114は、PSS受信部112がプライマリー同期信号（PSS）を検出することにより、アイデンティティ（物理セルID、ビームID）に関連する情報を取得し、取得したアイデンティティに関連する情報をSSS受信部113に出力してもよい。この場合、SSS受信部113は、該アイデンティティに関連する情報によりセカンダリー同期信号（SSS）を検出することができる。
【０１２１】
また、ID検出部114は、プライマリー同期信号（PSS）、セカンダリー同期信号（SSS）の検出により、アイデンティティ（物理セルID、ビームIDなど）を特定（決定、検出）してもよい。この場合、アイデンティティ（物理セルID、ビームID）に関連する情報を取得できなければ、セカンダリー同期信号（SSS）を正しく検出することができない。
【０１２２】
すなわち、ID検出部114は、セル（ビーム）サーチにより、周波数領域の信号からPSS受信部112および／またはSSS受信部113がプライマリー同期信号（PSS）および／またはセカンダリー同期信号（SSS）のいずれか一方または両方を検出することでアイデンティティ（物理セルID、ビームIDなど）を特定（決定、検出）してもよい。
ID検出部114は、特定（決定、検出）したアイデンティティ（物理セルID、ビームIDなど）を、参照信号受信部115と、MIB検出部117とに出力する。
MIB検出部117は、ID検出部114がアイデンティティ（物理セルID、ビームIDなど）を特定（決定、検出）し、特定（決定、検出）したアイデンティティに基づいて、物理報知情報チャネル（PBCH）を介してシステムインフォメーションブロック（MIB）を受信（検出）する。なお、MIB検出部117は、参照信号受信部115が受信した参照信号に基づいてシステムインフォメーションブロック（MIB）を受信（検出）してもよい。
【０１２３】
また、参照信号受信部115は、参照信号を受信する。参照信号は、システムインフォメーションブロック（MIB）とともにリソースエレメントにマップされる。例えば、参照信号受信部115は、15kHzのサブキャリア間隔に対して定められたリソースエレメントに配置された参照信号を受信してもよいし、30kHzのサブキャリア間隔に対して定められたリソースエレメントに配置された参照信号を受信してもよいし、60kHzのサブキャリア間隔に対して定められたリソースエレメントに配置された参照信号を受信してもよい。なお、本実施形態では、説明の便宜上、参照信号受信部115が受信する参照信号を第1の参照信号、第2の参照信号、第3の参照信号のように区別するときがある。
【０１２４】
RSRP算出部116は、参照信号受信部115が受信した参照信号から参照信号受信電力（RSRP）を算出（測定）してもよい。また、参照信号受信電力（RSRP）は、考慮される周波数帯域内の参照信号が配置されたリソースエレメントの線形平均電力により定義される。考慮される周波数帯域は、基地局装置3によって指示されてもよいし、上位層によって指示されてもよい。また、考慮される周波数帯域には、参照信号受信電力（RSRP）の算出（測定）用の参照信号が配置されていることが保証されていてもよい。参照信号の検出に基づいて上位層により指示される場合、RSRP算出部116は、参照信号を検出したサブフレームにおいて参照信号受信電力（RSRP）を算出（測定）してもよい。また、他のサブフレームに参照信号が存在していることを検出することができる場合、RSRP算出部116は、それらのサブフレームを用いて参照信号受信電力（RSRP）を算出（測定）してもよい。
【０１２５】
なお、RSRP算出部116は、それぞれのサブキャリア間隔のリソースエレメントに配置された参照信号に基づいて参照信号受信電力（RSRP）を算出（測定）してもよい。また、RSRP算出部116は、算出した参照信号受信電力（RSRP）を、送信部107を介して基地局装置3に送信（報告）してもよいし、チャネル測定部1059、処理部101を介して基地局装置3に送信（報告）してもよい。
【０１２６】
図13は、本発明の第1の実施形態に係る基地局装置3の構成の一例を示す概略ブロック図である。
基地局装置3は、処理部301と、制御部303と、受信部305と、送信部307と、送受信アンテナ部309と、を含んで構成される。また、処理部301は、無線リソース制御部3011と、スケジューリング部3013と、を含んで構成される。また、受信部305は、復号化部3051と、復調部3053と、多重分離部3055と、無線受信部3057と、チャネル測定部3059と、を含んで構成される。また、送信部307は、符号化部3071と、変調部3073と、多重部3075と、無線送信部3077と、下りリンク参照信号生成部3079と、を含んで構成される。
なお、基地局装置3の各機能部を1つ又は複数の集積回路によって実現可能に構成にしてもよいし、ソフトウェアによって実現してもよい。
【０１２７】
処理部301は、媒体アクセス制御（Medium  Access  Control  ：  MAC）層、パケットデータ統合プロトコル（Packet  Data  Convergence  Protocol  ：  PDCP）層、無線リンク制御（Radio  Link  Control  ：  RLC）層、無線リソース制御（Radio  Resource  Control：  RRC）層の処理を行う。また、処理部301は、受信部305、および送信部307の制御を行うために制御情報を生成し、制御部303に出力する。
【０１２８】
また、処理部301が備える無線リソース制御部3011は、下りリンクのPDSCHに配置される下りリンクデータ（トランスポートブロック）、システムインフォメーション、RRCメッセージ、MAC  CE（Control  Element）などを生成し、又は上位ノードから取得し、送信部307に出力する。また、無線リソース制御部3011は、端末装置1各々の各種設定情報／パラメータの管理をする。無線リソース制御部3011は、上位層の信号を介して端末装置1各々に対して各種設定情報／パラメータをセットしてもよい。すなわち、無線リソース制御部1011は、各種設定情報／パラメータを示す情報を送信／報知する。無線リソース制御部3011を設定部3011とも称する。
【０１２９】
また、処理部301が備えるスケジューリング部3013は、受信したチャネル状態情報および／またはチャネル測定部3059から入力された伝搬路の推定値やチャネルの品質などから、物理チャネル（PDSCH、および／またはPUSCH）を割り当てる周波数および／またはサブフレーム、物理チャネル（PDSCH、および／またはPUSCH）の符号化率および／または変調方式および／または送信電力などを決定する。スケジューリング部3013は、スケジューリング結果に基づき、受信部305、および／または送信部307の制御を行うために制御情報（例えば、DCIフォーマット）を生成し、制御部303に出力する。スケジューリング部3013は、さらに、送信処理および／または受信処理を行うタイミングを決定する。
【０１３０】
また、制御部303は、処理部301からの制御情報に基づいて、受信部305、および／または送信部307の制御を行う制御信号を生成する。制御部303は、生成した制御信号を受信部305、および／または送信部307に出力して受信部305、および／または送信部307の制御を行う。
【０１３１】
また、受信部305は、制御部303から入力された制御信号に従って、送受信アンテナ部309を介して端末装置１から受信した受信信号を分離、復調、復号し、復号した情報を処理部301に出力する。無線受信部3057は、送受信アンテナ部309を介して受信された上りリンクの信号を、直交復調によりベースバンド信号に変換し（ダウンコンバート：  Down  Covert）、不要な周波数成分を除去し、信号レベルが適切に維持されるように増幅レベルを制御し、受信された信号の同相成分および／または直交成分に基づいて、直交復調し、直交復調されたアナログ信号をディジタル信号に変換する。また、受信部305は、上りリンク制御情報を受信する。
【０１３２】
また、無線受信部3057は、変換したディジタル信号からCP（Cyclic  Prefix）に相当する部分を除去する。無線受信部3057は、CPを除去した信号に対して高速フーリエ変換（Fast  Fourier  Transform  ：  FFT）を行い、周波数領域の信号を抽出し多重分離部3055に出力する。
【０１３３】
また、多重分離部1055は、無線受信部3057から入力された信号をPUCCH、PUSCH、上りリンク参照信号などの信号に分離する。尚、この分離は、予め基地局装置３が無線リソース制御部3011で決定し、各端末装置１に通知した上りリンクグラントに含まれる無線リソースの割り当て情報に基づいて行われる。また、多重分離部3055は、チャネル測定部3059から入力された伝搬路の推定値から、PUCCHとPUSCHの伝搬路の補償を行う。また、多重分離部3055は、分離した上りリンク参照信号をチャネル測定部3059に出力する。
【０１３４】
また、復調部3053は、PUSCHを逆離散フーリエ変換（Inverse  Discrete  Fourier  Transform  ：  IDFT）し、変調シンボルを取得し、PUCCHとPUSCHの変調シンボルそれぞれに対して、BPSK（Binary  Phase  Shift  Keying）、QPSK、16QAM、64QAM等の予め定められた、および／または自装置が端末装置１各々に上りリンクグラントで予め通知した変調方式を用いて受信信号の復調を行う。復調部3053は、端末装置１各々に上りリンクグラントで予め通知した空間多重される系列の数と、この系列に対して行うプリコーディングを指示する情報に基づいて、MIMO  SMを用いることにより同一のPUSCHで送信された複数の上りリンクデータの変調シンボルを分離する。
【０１３５】
また、復号化部3051は、復調されたPUCCHとPUSCHの符号化ビットを、予め定められた符号化方式の、予め定められた、又は自装置が端末装置１に上りリンクグラントで予め通知した符号化率で復号を行い、復号した上りリンクデータと、上りリンク制御情報を処理部101へ出力する。PUSCHが再送信の場合は、復号化部3051は、処理部301から入力されるHARQバッファに保持している符号化ビットと、復調された符号化ビットを用いて復号を行う。チャネル測定部3059は、多重分離部3055から入力された上りリンク参照信号から伝搬路の推定値、チャネルの品質などを測定し、多重分離部3055および／または処理部301に出力する。
【０１３６】
また、送信部307は、制御部303から入力された制御信号に従って、下りリンク参照信号を生成し、処理部301から入力されたＨＡＲＱインディケータ、下りリンク制御情報、下りリンクデータを符号化、および／または変調し、PHICH、PDCCH、PDSCH、および／または、下りリンク参照信号を多重して、送受信アンテナ部309を介して端末装置１に信号を送信する。
【０１３７】
また、符号化部3071は、処理部301から入力されたHARQインディケータ、下りリンク制御情報、および／または下りリンクデータを、ブロック符号化、畳み込み符号化、ターボ符号化等の予め定められた符号化方式を用いて符号化を行う、および／または無線リソース制御部3011が決定した符号化方式を用いて符号化を行う。変調部3073は、符号化部3071から入力された符号化ビットをBPSK、QPSK、１６QAM、６４QAM等の予め定められた、および／または無線リソース制御部3011が決定した変調方式で変調する。
【０１３８】
また、下りリンク参照信号生成部3079は、基地局装置3を識別するための物理レイヤセル識別子（PCI）などを基に予め定められた規則で求まる、端末装置１が既知の系列を下りリンク参照信号として生成する。多重部3075は、変調された各チャネルの変調シンボルと生成された下りリンク参照信号を多重する。つまり、多重部3075は、変調された各チャネルの変調シンボルと生成された下りリンク参照信号をリソースエレメントに配置する。
【０１３９】
また、無線送信部3077は、多重された変調シンボルなどを逆高速フーリエ変換（Inverse  Fast  Fourier  Transform  ：  IFFT）して、OFDMシンボルを生成し、生成したOFDMシンボルにCPを付加し、ベースバンドのディジタル信号を生成し、ベースバンドのディジタル信号をアナログ信号に変換し、ローパスフィルタにより余分な周波数成分を除去し、搬送波周波数にアップコンバート（Up  Convert）し、電力増幅し、送受信アンテナ部309に出力して送信する。
【０１４０】
図14は、本発明の第1の実施形態に係る基地局装置3と端末装置１の初期アクセス手順の一例を示すフローチャートである。
ステップS101において、端末装置1は、初期アクセスとして基地局装置3の接続可能なセル（ビーム）を探索（セル（ビーム）サーチ）する。端末装置1は、基地局装置3が所定周期で送信するプライマリー同期信号（PSS、第1の同期信号）を受信（検出）する。
【０１４１】
ステップS102において、端末装置1は、基地局装置3が所定周期で送信するセカンダリー同期信号（SSS、第2の同期信号）を受信（検出）する。
【０１４２】
ステップS103において、端末装置1は、受信（検出）した第1の同期信号（PSS）と第2の同期信号（SSS）とからアイデンティティ（物理セルID、ビームIDなど）を決定（特定、検出）する。
なお、ステップS103において、端末装置1は、プライマリー同期信号（PSS）を検出することにより、アイデンティティ（物理セルID、ビームID）に関連する情報を取得し、ステップS102において、セカンダリー同期信号（SSS）を検出し、ステップS103において、アイデンティティ（物理セルID、ビームIDなど）を特定（決定、検出、同定）してもよい。この場合、アイデンティティ（物理セルID、ビームID）に関連する情報を取得できなければ、セカンダリー同期信号（SSS）を正しく検出することができない。
【０１４３】
なお、ステップS101において端末装置1は、基地局装置3が所定周期で送信するプライマリー同期信号（PSS）を検出することにより、ステップS102を実行せずにステップS103において、第1の同期信号に基づいてアイデンティティ（物理セルID、ビームIDなど）を特定（決定、検出）してもよい。
なお、端末装置1は、ステップS101を実行せずにステップS102において基地局装置3が所定周期で送信するセカンダリー同期信号（SSS）を検出することにより、ステップS103において第2の同期信号に基づいてアイデンティティ（物理セルID、ビームIDなど）を特定（決定、検出）してもよい。
【０１４４】
すなわち、ステップS103において、端末装置1は、セル（ビーム）サーチにより、プライマリー同期信号（PSS、第1の同期信号）およびセカンダリー同期信号（SSS、第2の同期信号）のいずれか一方または両方の検出によりアイデンティティ（物理セルID、ビームIDなど）を特定（決定、検出、同定）してもよい。
【０１４５】
ステップS104において、端末装置1は、決定（特定、検出）したアイデンティティに基づいて、第2のサブキャリア間隔（例えば30kHzのサブキャリア間隔）で、第1の参照信号を受信する。この第1の参照信号は、第2のサブキャリア間隔（例えば30kHzのサブキャリア間隔）に対して定められたリソースエレメントに配置されている。リソースエレメントとは、時間リソースおよび／または周波数リソースのことである。
【０１４６】
このように、第1の実施形態に係る端末装置１は、第1のサブキャリア間隔（例えば、15kHzのサブキャリア間隔）で第1の同期信号（PSS）を受信する第1受信部（PSS受信部112）と、前記第1のサブキャリア間隔（例えば、15kHzのサブキャリア間隔）で第2の同期信号（SSS）を受信する第2受信部（SSS受信部113）と、前記第1の同期信号および／または前記第2の同期信号からアイデンティティを検出する検出部（ID検出部114）と、前記アイデンティティに基づいて、前記第1のサブキャリア間隔とは異なる第2のサブキャリア間隔（例えば、30kHzのサブキャリア間隔）で第1の参照信号を受信する第3受信部（参照信号受信部115）と、を備え、前記第1の参照信号は、前記第2のサブキャリア間隔に対して定められた時間リソースおよび／または周波数リソースに配置される。
【０１４７】
このような構成によれば、異なる複数のサブキャリア間隔のサブキャリアを用いて通信を行う場合であっても、端末装置1および基地局装置3は、効率的に通信を行うことができる。
【０１４８】
（第2の実施形態）
第2の実施形態では、端末装置1が参照信号に基づいてシステムインフォメーションブロック（MIB）を復調（復号）する場合、および／または参照信号に基づいて参照信号受信電力を算出（測定）、該参照信号受信電力を基地局装置3に報告（送信）する場合について説明する。
なお、端末装置1の構成、基地局装置3の構成はそれぞれ第1の実施形態と同様であるため、説明および図示を省略する。第2の実施形態では、第1の実施形態と異なる部分を中心に説明する。
【０１４９】
図15は、本発明の第2の実施形態に係る基地局装置3と端末装置１の初期アクセス手順の一例を示すフローチャートである。
ステップS201において、端末装置1は、初期アクセスとして基地局装置3の接続可能なセル（ビーム）を探索（セル（ビーム）サーチ）する。端末装置1は、基地局装置3が所定周期で送信するプライマリー同期信号（PSS、第1の同期信号）を受信（検出）する。
【０１５０】
ステップS202において、端末装置1は、基地局装置3が所定周期で送信するセカンダリー同期信号（SSS、第2の同期信号）を受信（検出）する。
【０１５１】
ステップS203において、端末装置1は、受信（検出）した第1の同期信号（PSS）と第2の同期信号（SSS）とからアイデンティティ（物理セルID、ビームIDなど）を決定（特定、検出）する。
なお、ステップS203において、端末装置1は、プライマリー同期信号（PSS）を検出することにより、アイデンティティ（物理セルID、ビームID）に関連する情報を取得し、ステップS202において、セカンダリー同期信号（SSS）を検出し、ステップS203において、アイデンティティ（物理セルID、ビームIDなど）を特定（決定、検出）してもよい。この場合、アイデンティティ（物理セルID、ビームID）に関連する情報を取得できなければ、セカンダリー同期信号（SSS）を正しく検出することができない。
【０１５２】
なお、ステップS201において端末装置1は、基地局装置3が所定周期で送信するプライマリー同期信号（PSS）を検出することにより、ステップS102を実行せずにステップS203において、第1の同期信号に基づいてアイデンティティ（物理セルID、ビームIDなど）を特定（決定、検出）してもよい。
なお、端末装置1は、ステップS201を実行せずにステップS202において基地局装置3が所定周期で送信するセカンダリー同期信号（SSS）を検出することにより、ステップS203において第2の同期信号に基づいてアイデンティティ（物理セルID、ビームIDなど）を特定（決定、検出）してもよい。
【０１５３】
すなわち、ステップS203において、端末装置1は、セル（ビーム）サーチにより、プライマリー同期信号（PSS、第1の同期信号）およびセカンダリー同期信号（SSS、第2の同期信号）のいずれか一方または両方の検出によりアイデンティティ（物理セルID、ビームIDなど）を特定（決定、検出）してもよい。
【０１５４】
ステップS204において、端末装置1は、決定（特定、検出）したアイデンティティに基づいて、第2のサブキャリア間隔（例えば30kHzのサブキャリア間隔）で、第1の参照信号を受信する。この第1の参照信号は、第2のサブキャリア間隔（例えば30kHzのサブキャリア間隔）に対して定められたリソースエレメントに配置されている。リソースエレメントとは、時間リソースおよび／または周波数リソースのことである。
【０１５５】
ステップS205において、端末装置1は、第1の参照信号に基づいて、第1の重要システム情報（30kHzのサブキャリア間隔のシステムインフォメーションブロック（MIB））を復調（復号）する。
【０１５６】
ステップS206において、端末装置1は、第1の参照信号に基づいて、第1の参照信号の参照信号受信電力（RSRP）を算出（測定）する。
なお、ステップS206において、端末装置1は、基地局装置3に対して算出（測定）した第1の参照信号の参照信号受信電力（RSRP）を報告（送信）してもよい。
【０１５７】
なお、端末装置1は、ステップS205を実行せずにステップS206を実行してもよい。
【０１５８】
このように、第2の実施形態に係る端末装置1は、第1のサブキャリア間隔（例えば、15kHzのサブキャリア間隔）で第1の同期信号（PSS）を受信する第1受信部（PSS受信部112）と、前記第1のサブキャリア間隔（例えば、15kHzのサブキャリア間隔）で第2の同期信号（SSS）を受信する第2受信部（SSS受信部113）と、前記第1の同期信号および／または前記第2の同期信号からアイデンティティを検出する検出部（ID検出部114）と、前記アイデンティティに基づいて、前記第1のサブキャリア間隔とは異なる第2のサブキャリア間隔（例えば、30kHzのサブキャリア間隔）で第1の参照信号を受信する第3受信部（参照信号受信部115）と、を備え、前記第1の参照信号は、前記第2のサブキャリア間隔に対して定められた時間リソースおよび／または周波数リソースに配置される。
また、前記端末装置1は、前記第1の参照信号に基づいて第1の重要システム情報（MIB）を復調してもよい。
また、前記端末装置1は、前記第1の参照信号に基づいて第1の参照信号受信電力（RSRP）を算出する参照信号電力算出部（RSRP算出部116）をさらに備えでもよい。
また、前記端末装置1は、前記第1の参照信号受信電力を基地局装置３に報告してもよい。
【０１５９】
（第3の実施形態）
以下、第3の実施形態について説明する。本実施形態では、第1の同期信号（PSS）と第2の同期信号（SSS）に加え、所定のサブキャリア間隔で送信される第3の同期信号（Common  Synchronization  Signal  ：  CSS）が送信される。ここで、前述の実施形態では第1の同期信号（PSS）が所定のサブキャリア間隔の実施形態で説明したが、本実施形態では、第1の同期信号（PSS）と第2の同期信号（SSS）とが、データに用いるサブキャリア間隔と同じサブキャリア間隔で送信される。
【０１６０】
図16は、本発明の第3の実施形態に係る基地局装置3と端末装置1との初期アクセス手順の一例を示す概略図である。
【０１６１】
端末装置1は、複数のサブキャリア間隔の中から、仕様書で予め定められた（例えば1つの）サブキャリア間隔においてCSSの検出を行う。
【０１６２】
第3の同期信号（CSS）は、例えばZadoff-Chu系列をサブキャリアにマップして送信され、Zadoff-Chu系列のルートインデックスは第1の同期信号（PSS）の送信に用いられるサブキャリア間隔 (例えば、30kHz）を与えるために用いられてよい。
【０１６３】
例えば、「15」、「30」、「15、30」kHzといった第1の同期信号（PSS）のサブキャリア間隔の候補および／またはサブキャリア間隔を示すインデックをルートインデックスで示してもよい。また、Zadoff-Chu系列のルートインデックスと、Zadoff-Chu系列を用いて生成された信号に乗算するカバーコード（例えば、アダマール系列やM系列、PN系列、Gold系列など）および／またはサイクリックシフトのインデックスが「15」、「30」、「15、30」kHzといった第1の同期信号（PSS）のサブキャリア間隔の候補および／またはサブキャリア間隔を示してもよい。
【０１６４】
第3の同期信号（CSS）のルートインデックスから第１の同期信号（PSS）のサブキャリア間隔を把握し、端末装置1は、把握したサブキャリア間隔（例えば、30kHz）で第1の同期信号（Primary  Synchronization  Signal  ：  PSS）を受信する。
【０１６５】
また、第3の同期信号（CSS）のルートインデックスから第１の同期信号（PSS）のサブキャリア間隔の候補が複数存在する場合、端末装置1は、例えば狭い、あるいは広いサブキャリア間隔で第1の同期信号（PSS）の検出を行ってもよい。また、端末装置1の能力に応じて第1の同期信号（PSS）の検出を行ってもよい。また、端末装置1が希望するサブキャリア間隔(端末装置1が希望するサービスに対応するサブキャリア間隔)で第1の同期信号（PSS）の検出を行ってもよい。
【０１６６】
端末装置1は、第1の同期信号の受信（PSS）に基づき、第2の同期信号（SSS）の検出を行う。第1の同期信号を受信したサブキャリア間隔と同じサブキャリア間隔（例えば、30kHz）で第2の同期信号（SSS）を受信する。このとき、例えば、F1、F2、F3、及びF6が同定 (実行) される。
【０１６７】
端末装置1は、第2の同期信号（SSS）の受信に基づき、Essential  system  informationを復号できるパラメータを検出する（例えば、セルID、ビームIDなど）。
【０１６８】
また、スタンドアローンで通信できる端末装置1は、第3の同期信号（CSS）を受信しなくてもよい。
【０１６９】
第3の同期信号（CSS）を受信しない場合、第1の同期信号（PSS）と第2の同期信号（SSS）のサブキャリア間隔は、ブラインド検出してもよい。
【０１７０】
また、第3の同期信号（CSS）は、送信されなくてもよく、各サブキャリア間隔で第1の同期信号（PSS）および／または第2の同期信号（SSS）とのサブキャリア間隔は、ブラインドで検出されてもよい。
【０１７１】
端末装置1は、例えば端末装置1の能力に応じて第1の同期信号（PSS）の検出を行ってもよい。また、端末装置1が希望するサブキャリア間隔(端末装置1が希望するサービスに対応するサブキャリア間隔)で第1の同期信号（PSS）の検出を行ってもよい。
【０１７２】
（第4の実施形態）
第4の実施形態では、第3の同期信号(CSS)が、任意のサブキャリア間隔（例えば15kHz、30kHzおよび60kHz）で送信される共通同期信号（CSS）であり、端末装置1は、任意のサブキャリア間隔で第3の同期信号(CSS)を検出する場合の一例について説明する。
【０１７３】
例えば、端末装置1の能力に応じて第1の同期信号（PSS）の検出を行う。例えば、端末装置1は、端末装置1が希望するサブキャリア間隔(端末装置1が希望するサービスに対応するサブキャリア間隔)で第1の同期信号（PSS）の検出を行う。
【０１７４】
なお、任意のサブキャリア間隔のそれぞれで送信される同期信号の生成方法が規定されてもよい。 任意のサブキャリア間隔のそれぞれは15×2のべき乗（および／または15の整数倍）で表されてよい。
【０１７５】
例えば、１つの第3の同期信号（CSS）は、１つまたは複数の無線フレーム内（周波数/時間リソース)において定められた位置 (例えば、サブフレーム番号、スロット番号および／またはシンボル番号）に存在する。
【０１７６】
例えば、複数の第3の同期信号（CSS）は、１つまたは複数の無線フレーム内において定められた位置（例えば、サブフレーム番号、スロット番号および／またはシンボル番号）に存在してもよい。
【０１７７】
第3の同期信号（CSS）は、例えば1サブキャリアのみ（シングルトーン）で送信されてよい。また、第3の同期信号（CSS）は、PSSが存在するかどうかを示すために用いられてよい。また、第3の同期信号（CSS）は、任意のサブキャリア間隔および／またはおよび／または時間位置（1無線フレームにおける位置）において第2の同期信号が存在することを示すために用いられてよい。
【０１７８】
第1の同期信号（PSS）は、例えば基地局装置3が任意の帯域でオペレーションしているサブキャリア間隔（例えば、15kHzか30kHz）で送信される同期信号である。端末装置1は、第1の同期信号（PSS）の検出を行う。
【０１７９】
例えば、端末装置1は、各サブキャリア間隔のそれぞれに対応するピーク電力に基づいて、最も高いピーク電力に対応するサブキャリア間隔で第1の同期信号（PSS）を検出する。
【０１８０】
例えば、端末装置1は、第3の同期信号（CSS）の検出に基づき、仕様書によってあらかじめ定められたサブキャリア間隔において第1の同期信号（PSS）を検出する。
【０１８１】
例えば、端末装置1は、第3の同期信号（CSS）の検出に基づき、第3の同期信号（CSS）の送信に用いられる1つまたは複数の無線フレームと同じ無線フレーム内において定められた位置 (例えば、サブフレーム番号、スロット番号および／またはシンボル番号) において第1の同期信号（PSS）を検出してもよい。
【０１８２】
第1の同期信号（PSS）が送信される無線フレームのインデックスおよび／またはサブフレームのインデックスは、任意のサブキャリア間隔に基づいてもよい。また、CSSは、例えばZadoff-Chu系列で与えられる。
【０１８３】
第1の同期信号（PSS）の時間位置が仕様で固定されていれば、F3、F4に加え、F5もできる。
【０１８４】
第2の同期信号（SSS）は、Zadoff-Chu系列で生成されてもよい。このとき、Zadoff-Chu系列のルートインデックスから重要システム情報を復号できるパラメータを検出する（例えば、セルID、ビームIDなど）。また、第2の同期信号（SSS）は、他の系列（例えば、M系列、PN系列、アダマール系列、Gold系列など）で生成されてもよく、このときのアイデンティティは、シフトレジスタの初期値および／またはアダマール系列の場合は、行番号と基づいていてもよい。また、第1の同期信号（PSS）と第2の同期信号（SSS）とは、1つの無線フレーム内で同じ数送信されてもよいし、異なる数送信されてもよい。第2の同期信号（SSS）に例えば、F1および／またはF2、および／またはF6ができる。
【０１８５】
（第5の実施形態）
第5の実施形態では、第1の同期信号(PSS)が、任意のサブキャリア間隔（例えば15kHz、30kHzおよび60kHz）で送信される共通同期信号であり、第2の同期信号（SSS）が、その無線リソースで通信に用いられているサブキャリア間隔で送信されている場合の一例について説明する。
【０１８６】
図17は、本発明の第5の実施形態に係る基地局装置3と端末装置1との初期アクセス手順の一例を示す概略図である。
基地局装置3は、所定周期で第1の同期信号（PSS）を、第1のサブキャリア間隔（例えば15kHzのサブキャリア間隔）で送信する。
また、基地局装置3は、所定周期および／または時間位置で第2の同期信号（SSS）を、第2のサブキャリア間隔（例えば30kHzのサブキャリア間隔）で送信する。
端末装置1は、セルサーチ（ビームサーチ）を行い、基地局装置3から所定周期で送信される第1の同期信号（PSS）を検出する。端末装置1は、第1のサブキャリア間隔で送信された第1の同期信号（PSS）を検出すると、アイデンティティ（物理セルID、ビームID、参照信号IDなど）に関連する情報を取得する。端末装置1は、アイデンティティ（物理セルID、ビームID、参照信号IDなど）に関連する情報を取得すると、基地局装置3から所定周期で送信される第2のサブキャリア間隔の第2の同期信号（SSS）を検出する。
【０１８７】
第1の同期信号（PSS）は、例えばZadoff-Chu系列をサブキャリアにマップして送信され、Zadoff-Chu系列のルートインデックスは第2の同期信号（SSS）の送信に用いられるサブキャリア間隔 (例えば、30kHz）やサーチする時間リソースおよび／または周波数リソースを与えるために用いられてよい。
【０１８８】
例えば、「15」、「30」、「15、30」kHz といった第2の同期信号（SSS）のサブキャリア間隔の候補および／またはサブキャリア間隔を示すインデックをルートインデックスで示してもよい。また、Zadoff-Chu系列のルートインデックスと、Zadoff-Chu系列を用いて生成された信号に乗算するカバーコード（例えば、アダマール系列やM系列、PN系列、Gold系列など）および／またはサイクリックシフトのインデックスが「15」、「30」、「15、30」kHzといった第2の同期信号（SSS）のサブキャリア間隔の候補および／またはサブキャリア間隔を示してもよい。
【０１８９】
このような構成によれば、異なる複数のサブキャリア間隔のサブキャリアを用いて通信を行う場合であっても、端末装置1および基地局装置3は、効率的に通信を行うことができる。
【０１９０】
本発明の一態様における基地局装置3、および／または端末装置1で動作するプログラムは、本発明の一態様に関わる上記の各実施形態や変形例で示した機能を実現するように、CPU（Central  Processing  Unit）等を制御するプログラム（コンピュータを機能させるプログラム）であっても良い。そして、これらの各装置で取り扱われる情報は、その処理時に一時的にRAM（Random  Access  Memory）に蓄積され、その後、Flash  ROM（Read  Only  Memory）などの各種ROMやHDD（Hard  Disk  Drive）に格納され、必要に応じてCPUによって読み出し、修正・書き込みが行われる。
【０１９１】
なお、上述した各実施形態や変形例における端末装置1、基地局装置3の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９２】
なお、ここでいう「コンピュータシステム」とは、端末装置1、又は基地局装置3に内蔵されたコンピュータシステムであって、OSや周辺機器等のハードウェアを含むものとする。また、「コンピュータ読み取り可能な記録媒体」とは、フレキシブルディスク、光磁気ディスク、ROM、CD−ROM等の可搬媒体、コンピュータシステムに内蔵されるハードディスク等の記憶装置のことをいう。
【０１９３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９４】
また、上述した各実施形態や変形例における基地局装置3は、複数の装置から構成される集合体（装置グループ）として実現することもできる。装置グループを構成する装置の各々は、上述した各実施形態や変形例に関わる基地局装置3の各機能および／または各機能ブロックの一部、および／または、全部を備えてもよい。装置グループとして、基地局装置3の一通りの各機能および／または各機能ブロックを有していればよい。また、上述した実施形態に関わる端末装置1は、集合体としての基地局装置3と通信することも可能である。
【０１９５】
また、上述した各実施形態や変形例における基地局装置3は、EUTRAN（Evolved  Universal  Terrestrial  Radio  Access  Network）であってもよい。また、上述した各実施形態や変形例における基地局装置3は、eNodeBに対する上位ノードの機能の一部および／または全部を有してもよい。
【０１９６】
また、上述した各実施形態や変形例における端末装置1、基地局装置3の一部、又は全部を典型的には集積回路であるLSIとして実現してもよいし、チップセットとして実現してもよい。また、上述した各実施形態や変形例における端末装置1、基地局装置3の各機能ブロックは個別にチップ化してもよいし、一部、又は全部を集積してチップ化してもよい。また、集積回路化の手法は、LSIに限らず専用回路、および／または汎用プロセッサで実現しても良い。また、半導体技術の進歩によりLSIに代替する集積回路化の技術が出現した場合、当該技術による集積回路を用いることも可能である。
【０１９７】
また、上述した各実施形態や変形例では、通信装置の一例として端末装置を記載したが、本願発明の一態様は、これに限定されるものではなく、屋内外に設置される据え置き型、および／または非可動型の電子機器、たとえば、AV機器、キッチン機器、掃除・洗濯機器、空調機器、オフィス機器、自動販売機、自動車、自転車、その他生活機器などの端末装置もしくは通信装置にも適用出来る。
【０１９８】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１９９】
例えば、上記各実施形態や各変形例の一部または全部を組み合わせることで本発明の一態様を実現してもよい。
【０２００】
（付記1）第1のサブキャリア間隔で第1の同期信号を受信する第1受信部と、前記第1のサブキャリア間隔で第2の同期信号を受信する第2受信部と、前記第1の同期信号および／または前記第2の同期信号からアイデンティティを検出する検出部と、前記アイデンティティに基づいて、前記第1のサブキャリア間隔とは異なる第2のサブキャリア間隔で第1の参照信号を受信する第3受信部と、を備え、前記第1の参照信号は、前記第2のサブキャリア間隔に対して定められた時間リソースおよび周波数リソースに配置される端末装置。
【０２０１】
（付記2）前記端末装置は、前記第1の参照信号に基づいて第1の重要システム情報を復調する（付記1）に記載の端末装置。
【０２０２】
（付記3）前記端末装置は、前記第1の参照信号に基づいて第1の参照信号受信電力を算出する参照信号電力算出部をさらに備える（付記1）に記載の端末装置。
【０２０３】
（付記4）前記端末装置は、前記第1の参照信号受信電力を基地局装置に報告する（付記３）に記載の端末装置。
【０２０４】
（付記5）端末装置に用いられる通信方法であって、第1のサブキャリア間隔で第1の同期信号を受信し、前記第1のサブキャリア間隔で第2の同期信号を受信し、前記第1の同期信号および／または前記第2の同期信号からアイデンティティを検出し、前記アイデンティティに基づいて、前記第1のサブキャリア間隔とは異なる第2のサブキャリア間隔で第1の参照信号を受信し、前記第1の参照信号は、前記第2のサブキャリア間隔に対して定められた時間リソースおよび周波数リソースに配置される通信方法。
【０２０５】
（付記6）前記第1の参照信号に基づいて第1の重要システム情報を復調する（付記5）に記載の通信方法。
【０２０６】
（付記7）前記第1の参照信号に基づいて第1の参照信号受信電力を算出する（付記5）に記載の通信方法。
【０２０７】
（付記8）前記第1の参照信号受信電力を基地局装置に報告する（付記7）に記載の通信方法。
【０２０８】
（付記9）端末装置に搭載される集積回路であって、第1のサブキャリア間隔で第1の同期信号を受信する第1受信機能と、前記第1のサブキャリア間隔で第2の同期信号を受信する第2受信機能と、前記第1の同期信号および／または前記第2の同期信号からアイデンティティを検出する検出機能と、前記アイデンティティに基づいて、前記第1のサブキャリア間隔とは異なる第2のサブキャリア間隔で第1の参照信号を受信する第3受信機能と、を含む一連の機能を発揮させるための集積回路であって、前記第1の参照信号は、前記第2のサブキャリア間隔に対して定められた時間リソースおよび周波数リソースに配置される（付記9）に記載の集積回路。
【０２０９】
（付記10）前記第1の参照信号に基づいて第1の重要システム情報を復調する機能をさらに発揮させるための（付記9）に記載の集積回路。
【０２１０】
（付記11）前記第1の参照信号に基づいて第1の参照信号受信電力を算出する機能をさらに発揮させるための（付記9）に記載の集積回路。
【０２１１】
（付記12）前記第1の参照信号受信電力を基地局装置に報告する機能をさらに発揮させるための（付記11）に記載の集積回路。
【産業上の利用可能性】
【０２１２】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２１３】
1、1A、1B、1C  端末装置
3  基地局装置
101  処理部
1011  無線リソース制御部
1013  スケジューリング情報解釈部
103  制御部
105  受信部
1051  復号化部
1053  復調部
1055  多重分離部
1057  無線受信部
1059  チャネル測定部
107  送信部
1071  符号化部
1073  変調部
1075  多重部
1077  無線送信部
1079  上りリンク参照信号生成部
109  送受信アンテナ部
110  RF部
111  A／D変換部
112  PSS受信部
113  SSS受信部
114  ID検出部
115  参照信号受信部
116  RSRP算出部
117  MIB検出部
301  処理部
3011  無線リソース制御部
3013  スケジューリング部
303  制御部
305  受信部
3051  復号化部
3053  復調部
3055  多重分離部
3057  無線受信部
3059  チャネル測定部
307  送信部
3071  符号化部
3073  変調部
3075  多重部
3077  無線送信部
3079  下りリンク参照信号生成部
309  送受信アンテナ部
【図１】
2018021018.tif 000003
【図２】
2018021018.tif 000004
【図３】
2018021018.tif 000005
【図４】
2018021018.tif 000006
【図５】
2018021018.tif 000007
【図６】
2018021018.tif 000008
【図７】
2018021018.tif 000009
【図８】
2018021018.tif 000010
【図９】
2018021018.tif 000011
【図１０】
2018021018.tif 000012
【図１１】
2018021018.tif 000013
【図１２】
2018021018.tif 000014
【図１３】
2018021018.tif 000015
【図１４】
2018021018.tif 000016
【図１５】
2018021018.tif 000017
【図１６】
2018021018.tif 000018
【図１７】
2018021018.tif 000019
【国際調査報告】
2018021018.tif 000020
2018021018.tif 000021